(57)【要約】【課題】シリンジやチューブ等の先端に設けられた筒状の接続端部を接続した際に確実な連通状態を形成することができるだけでなく、管体内において流量が過剰となることを防止することができる継ぎ手装置を提供する。【解決手段】外筒１５の軸心に沿って管体５を設ける。外筒１５及び管体５を閉塞する閉塞部材１８を設ける。閉塞部材１８に、管体５が挿通する挿通孔２５を設ける。閉塞部材１８を前進方向に付勢する付勢手段１９を設ける。前記管体５の内部に、管体５の軸線に沿って延びる棒状体７を設ける。棒状体７は、管体５内部に位置して管体５の内径より小径の内挿部８と、内挿部に連なって管体５内面に固定される固定部１０とを備える。【選択図】図１
2004344546.tif 000002
【特許請求の範囲】
【請求項１】
管状の被接続物を挿入して接続可能に開口する接続部を先端に備える有底円筒状の外筒と、該外筒の軸心に沿って延設されて後端が外筒の底部外方に連通し、先端が前記接続部から所定距離を存して該外筒内部に位置すると共に該接続部に向って軸線方向に開口する中空の管体と、前記外筒にその軸線方向に進退自在に収納されて前進位置において該外筒及び前記管体を閉塞する弾性材料による閉塞部材と、該閉塞部材における前記管体の先端に対向する位置に、該閉塞部材の後退に伴って前記管体が挿通する挿通孔と、該閉塞部材を前進方向に付勢する付勢手段とを備える継ぎ手装置において、
前記管体は、その内部に挿着されて該管体の軸線に沿って延びる棒状体を備え、
該棒状体は、前記管体内部に位置して該管体の内径より小径とされ該管体の内面との間に空隙を形成する内挿部と、該内挿部の一部に形成され、前記空隙との連通を維持して管体内面に固定される固定部とを備えることを特徴とする継ぎ手装置。
【請求項２】
前記棒状体は、前記内挿部の先端に連設されて前記管体の先端開口部から延出する延出部を備え、
前記閉塞部材の挿通孔は、その内径が前記棒状体の延出部の外径より小とされ、該閉塞部材が前進位置において前記外筒の接続部を閉塞したとき前記棒状体の延出部が前記挿通孔に挿入して該挿通孔を閉塞することを特徴とする請求項１記載の継ぎ手装置。
【請求項３】
前記棒状体の延出部には、前記管体の先端開口部を開放する位置において該管体の外径と略同径に拡径された拡径部が形成され、
該拡径部は、前記閉塞部材が前記外筒の接続部を閉塞したときに前記挿通孔に挿入して該挿通孔を閉塞することを特徴とする請求項２記載の継ぎ手装置。
【請求項４】
前記閉塞部材は、前記挿通孔を備えて前記外筒の接続部に挿脱自在に嵌合する栓部と、該栓部の後端に連設されて前記管体の周壁に液密に密着する円筒状の管体密着部とを備え、
該管体密着部の外周に、該管体密着部を前記管体に圧接する環状の圧接部材を設けたことを特徴とする請求項１乃至３の何れか１項記載の継ぎ手装置。
【請求項５】
前記管体は、その外径が後端に向かって次第に拡径するテーパ状に形成されていることを特徴とする請求項１乃至４の何れか１項記載の継ぎ手装置。
【発明の詳細な説明】
【０００１】
【発明の属する技術分野】
本発明は、継ぎ手装置に関し、詳しくは、例えば、点滴の薬液流路に設けてシリンジやチューブ等を接続する継ぎ手装置に関する。
【０００２】
【従来の技術】
従来、この種の継ぎ手装置は、円筒状の外筒内部に延設された中空の管体と、外筒内部において該管体に外挿されて進退方向に摺動自在の筒状部材とを備えている（例えば、特許文献１参照）。
【０００３】
前記管体は、その先端近傍の周壁に開口する側孔が形成されており、前記筒状部材は、細管の先端部に位置するとき側孔を閉塞する。これにより、外筒の先端にシリンジのルアーテーパ部を挿着したとき、該ルアーテーパ部の先端に押圧された筒状部材が後退し、ルアーテーパ部が管体に外挿状態となって管体の側孔が開放されることで導通状態となる。また、外筒内部にはコイルスプリングが設けられており、該コイルスプリングによって後退時の筒状部材を前進方向に付勢する。これにより、外筒の先端から前記ルアーテーパ部を抜き取った際に、該コイルスプリングの付勢により筒状部材が前進し、管体の側孔が閉塞される。
【０００４】
ところで、この種の継ぎ手装置は、点滴の薬液流路に設けられるが、薬液流路に別の薬液を混入させるために例えばシリンジがそのルアーテーパ部を介して接続される。そして、シリンジのピストンを押圧操作して薬液流路に別の薬液が注入されるが、管体内への薬液の残留が多く、点滴の薬液流路に所望の量の薬液が流入されない不都合がある。
【０００５】
また、このときピストンの押圧操作を急激に行なうと、薬液の流量を適量に制限するものが何もないので、薬液流路の流量が一時的に過剰となり、点滴の薬液流路の流量が適量に維持できず、円滑な輸液に支障がでるおそれがある。
【０００６】
【特許文献１】
特開平１０−１５０７９号公報
【０００７】
【発明が解決しようとする課題】
かかる不都合を解消して、本発明は、シリンジやチューブ等の先端に設けられた筒状の接続端部を接続した際に確実な連通状態を形成することができるだけでなく、管体内への薬液の残量を小とし、また、管体内において流量が過剰となることを防止することができる継ぎ手装置を提供することを目的とする。
【０００８】
【課題を解決するための手段】
かかる目的を達成するために、本発明は、管状の被接続物を挿入して接続可能に開口する接続部を先端に備える有底円筒状の外筒と、該外筒の軸心に沿って延設されて後端が外筒の底部外方に連通し、先端が前記接続部から所定距離を存して該外筒内部に位置すると共に該接続部に向って軸線方向に開口する中空の管体と、前記外筒にその軸線方向に進退自在に収納されて前進位置において該外筒及び前記管体を閉塞する弾性材料による閉塞部材と、該閉塞部材における前記管体の先端に対向する位置に、該閉塞部材の後退に伴って前記管体が挿通する挿通孔と、該閉塞部材を前進方向に付勢する付勢手段とを備える継ぎ手装置において、前記管体は、その内部に挿着されて該管体の軸線に沿って延びる棒状体を備え、該棒状体は、前記管体内部に位置して該管体の内径より小径とされ該管体の内面との間に空隙を形成する内挿部と、該内挿部の一部に形成され、前記空隙との連通を維持して管体内面に固定される固定部とを備えることを特徴とする。
【０００９】
本発明の継ぎ手装置は、例えばシリンジやチューブに備えるルアーテーパ部等の被接続物を外筒の接続部に挿入したとき、前記閉塞部材が押圧されて後退される。これに伴い、前記管体が前記挿通孔に挿通される。これによって、該管体の先端の開口部の閉塞が解除され、シリンジやチューブ等に連通する。そして、被接続物を前記外筒の接続部から抜き取った場合には、前記付勢手段の付勢力によって閉塞部材が前進される。これにより、閉塞部材の挿通孔から管体が抜け、閉塞部材が外筒を閉塞する。
【００１０】
本発明の継ぎ手装置においては、前記管体が前記棒状体を備えている。該棒状体は、管体の内部にあって該棒状体の内挿部と管体との間に薬液等が流通する空隙を形成している。
【００１１】
このように、管体の内部に前記棒状体が挿着されいることにより、該管体内部（棒状体の内挿部と管体との間の空隙の内部）に残留する薬液等の量を少量とすることができる。これにより、管体の内部へのシリンジや他の輸液チューブから注入された薬液の減少を小とすることができる。また、管体内部を流動する薬液の流量を前記空隙を通過する量に減少させることができ、管体を流動する薬液等の流量が過剰となることが防止できる。即ち、例えば、本発明の継ぎ手装置が点滴等の輸液流路に設けられているとき、シリンジ等を本発明の継ぎ手装置に接続して別の薬液を輸液流路に注入する場合に、シリンジのピストンの押圧操作が急激に行なわれても、輸液流路への急激な薬液の流入を確実に防止でき、輸液流路への他の薬液の適量注入を極めて容易に行なうことができる。
【００１２】
また、本発明において、前記棒状体は、前記内挿部の先端に連設されて前記管体の先端開口部から延出する延出部を備え、前記閉塞部材の挿通孔は、その内径が前記棒状体の延出部の外径より小とされ、該閉塞部材が前進位置において前記外筒の接続部を閉塞したとき前記棒状体の延出部が前記挿通孔に挿入して該挿通孔を閉塞することを特徴とする。
【００１３】
本発明によれば、閉塞部材が外筒の接続部を閉塞しているときに棒状体の延出部が前記挿通孔に挿入された状態となり、該挿通孔は棒状体の延出部によって閉塞される。そして、例えばシリンジやチューブに備えるルアーテーパ部等の被接続物を外筒の接続部に挿入し、前記閉塞部材が押圧されて後退したとき、挿通孔は棒状体の延出部に案内されて管体が挿通される。このように、前記棒状体に前記延出部を設けておくことにより、閉塞部材の挿通孔に確実に管体を案内することができ、シリンジやチューブの接続を円滑に行なうことができる。
【００１４】
また、このとき、前記棒状体の延出部には、前記管体の先端開口部を開放する位置において該管体の外径と略同径に拡径された拡径部が形成され、該拡径部は、前記閉塞部材が前記外筒の接続部を閉塞したときに前記挿通孔に挿入して該挿通孔を閉塞することが好ましい。前記延出部の前記拡径部が管体の外径と略同径であることにより、前記閉塞部材が後退して前記挿通孔に管体が挿通するとき、該挿通孔が急激に拡径変形されることがなく、閉塞部材の後退移動をスムーズに行なうことができ、しかも、挿通孔への管体の挿通に伴う挿通孔の損傷を防止して閉塞部材の耐久性を向上させることができる。
【００１５】
また、本発明において、前記閉塞部材は、前記挿通孔を備えて前記外筒の接続部に挿脱自在に嵌合する栓部と、該栓部の後端に連設されて前記管体の周壁に液密に密着する円筒状の管体密着部とを備え、該管体密着部の外周に、該管体密着部を前記管体に圧接する環状の圧接部材を設けたことを特徴とする。
【００１６】
本発明の継ぎ手装置においては、前記管体に前記棒状体を設けることで薬液等の流量を制限している。このため、シリンジや他の輸液チューブからの流量と管体内部の流量との差が大きいと、管体の先端近傍の液圧が上昇し、管体と管体密着部との間に薬液等が侵入して液漏れが生じるおそれがある。そこで、本発明は、圧接部材を設けて密着度を増加させたので、管体と管体密着部との間への薬液等の侵入を確実に防止することができる。
【００１７】
また、本発明において、前記管体は、その外径が後端に向かって次第に拡径するテーパ状に形成されていることを特徴とする。前記閉塞部材が管体に沿って後退したとき、管体の後端側が拡径されていることによって管体密着部による管体への圧接力を増加させることができる。これにより、管体と管体密着部とが確実に密着して管体と管体密着部との間への薬液等の侵入を確実に防止することができる。
【００１８】
【発明の実施の形態】
本発明の一実施形態を図面に基づいて説明する。図１は本実施形態の継ぎ手装置を示す説明的断面図、図２は棒状体を示す説明的断面図、図３は閉塞部材の説明的断面図、図４は図１の継ぎ手装置の接続状態を示す説明的断面図、図５は他の実施形態の継ぎ手装置を示す説明的断面図、図６は図５の継ぎ手装置の接続状態を示す説明的断面図である。
【００１９】
本実施形態の継ぎ手装置１は、図１に示すように、３方活栓２の一つのポート３に設けられている。該ポート３には筒状の管体支持部４を介して金属製の管体５が挿着されている。該管体５はパイプ状に形成され、基端が前記ポート３に連通されている。該管体５の先端には、その軸線方向に向って開口する開口部６が形成されており、該管体５の内部には、該管体５の軸線に沿って延びる棒状体７が装着されている。
【００２０】
該棒状体７は、図１及び図２に示すように、管体５の内部に位置して該管体５の内径より小径とされた内挿部８と、内挿部８の先端側に連設された延出部９と、内挿部８の後端側に連設された固定部１０とによって構成されている。内挿部８は、管体５の内径より小径であることによって管体５の内面との間に空隙を形成している。延出部９は、管体５の先端から延出しており、管体５の開口部６を閉塞しない位置で管体５の外径と略同径に拡径された拡径部１１を備えている。拡径部１１における管体５の開口部６に対向する側は、開口部６に向かって縮径するテーパ面とされている。固定部１０は、図２に示すように、大略楕円状に形成されて、管体５の内面に当接して接着或いは圧接嵌合される一対の当接部１２と、該当接部１２の両側において平坦に形成されて管体５の内面との間に空隙を形成する平坦部１３とを備えている。
【００２１】
また、図１に示すように、前記管体支持部４の外周には、円筒状の外筒支持部１４を介して外筒１５が連結支持されている。該外筒１５の先端には、図示しないシリンジやチューブの先端に設けられた円筒状の接続端部１６（図４参照）を挿着する挿着部１７が形成されている。
【００２２】
該外筒１５の内部には、図１に示すように、ゴム製の閉塞部材１８が収納されている。該閉塞部材１８は、管体５に沿って進退自在に設けられ、外筒１５内部に設けられた付勢手段としてのコイルスプリング１９によって、前進方向に付勢されている。該閉塞部材１８は、その外周に装着された後述する圧接部材２０のフランジ部２１が、外筒１５の挿着部１７の内周に突設された規制凸部２２に突き当って抜け止めされている。
【００２３】
該閉塞部材１８は、図１及び図３に示すように、管体５の先端側を閉塞する栓部２３と、該栓部２３の後方に連設されて管体５の外周に密着する円筒状の管体密着部２４とによって構成されている。該閉塞部材１８の栓部２３には、管体５が挿通される挿通孔２５が形成されている。該挿通孔２５は、図１に示すように、閉塞部材１８が前進位置にあるとき前記棒状体７の延出部９に形成された拡径部１１が嵌合して閉鎖状態となる。図４に示すように、閉塞部材１８が後退すると、挿通孔２５は棒状体７の拡径部１１に案内されて管体５が挿通する。
【００２４】
また、図１及び図３に示すように、前記管体密着部２４の外周には、金属製の圧接部材２０が装着されている。圧接部材２０は、管体密着部２４の外周全周を締め付けており、管体密着部２４を管体５に押し当てて密着させている。更に、圧接部材２０には、栓部２３側において鍔状に張り出すフランジ部２１が形成されている。該フランジ部２１は、前記コイルスプリング１９のスプリングシートとしてゴム製の閉塞部材１８との接触による閉塞部材１８の損傷を防止して確実に付勢力を付与し、且つ、前述したように外筒１５の挿着部１７の内周に突設された規制凸部２２に突き当って閉塞部材１８の抜け出しを防止する。該圧接部材２０によって、管体密着部２４と管体５との液密状態が維持され、閉塞部材１８の進退移動時の液漏れを確実に防止することができる。
【００２５】
以上の構成からなる継ぎ手装置１によれば、図４に示すように、前記外筒１５の挿着部１７に図示しないシリンジやチューブの先端に設けられた接続端部１６を挿着したとき、該接続端部１６に押圧された閉塞部材１８が後退する。このとき、前記棒状体７の延出部９に拡径部１１が形成されていることによって、閉塞部材１８の挿通孔２５の急激な拡径変形がなく円滑に管体５の挿通が行なわれる。これにより、閉塞部材１８の後退移動をスムーズに行なうことができ、挿通孔２５への挿通に伴う挿通孔２５の損傷が防止されるので閉塞部材１８の耐久性を向上させることができる。
【００２６】
そして、挿通孔２５を貫通した管体５の開口部６が開放され、接続端部１６と３方活栓２のポート３とが管体５を介して連通する。このとき、接続端部１６から管体５に向かって薬液が注入されると、管体５が前記棒状体７を備えて薬液の流量が制限されることによって、薬液が３方活栓２内に急激に注入されることが防止される。また、薬液の流量が管体５の棒状体７により制限されると、管体５の周囲の液圧が上昇し、閉塞部材１８と管体５との間に薬液が侵入しようとするが、該閉塞部材１８の管体密着部２４が前記圧接部材２０により管体５に圧接されていることにより、管体密着部２４と管体５との間への薬液の侵入が防止される。
【００２７】
その後、前記外筒１５の挿着部１７から接続端部１６を引き抜いたときには、コイルスプリング１９の付勢力によって閉塞部材１８が前進し、管体５が挿通孔２５から抜けた時点で、挿通孔２５に棒状体７の拡径部１１が挿着され、該管体５の開口部６が閉塞される。
【００２８】
次に、本発明の他の実施形態を説明する。図５及び図６に示すように、他の実施形態の継ぎ手装置２６は、前述した実施形態と同様に、３方活栓２の一つのポート３に設けられているが、前述した実施形態の管体５とは異なる形状の管体２７を備えている。また、前述した実施形態と同様の構成については、図５及び図６において、図１及び図４と同一の符号を付してその説明を省略する。
【００２９】
他の実施形態の継ぎ手装置２６に設けられた管体２７は、図５及び図６に示すように、硬質合成樹脂（例えばポリアセタール）によって形成されており、内部に前記棒状体７が挿着されている。
【００３０】
該管体２７は、その外径が後端に向かって次第に拡径するテーパ状に形成されている。該管体２７の後端部には、鍔状に張り出して円筒状の外筒支持部１４の端縁に当接された鍔部２８が形成されている。該鍔部２８の後方には、外筒支持部１４と管体支持部４との間に介挿して固定する固定脚部２９が一体に連設されている。該鍔部２８は、コイルスプリング１９の後端に当接するスプリングシートとされ、コイルスプリング１９と外筒支持部１４との接触による外筒支持部１４の損傷を防止する。
【００３１】
このように構成された管体２７は、拡径された後端により曲げ強度が向上され、挿通孔２５への管体２７の挿通時に管体２７の折れ曲がり等を確実に防止することができる。
【００３２】
また、図６に示すように、前記外筒１５の挿着部１７に図示しないシリンジやチューブの先端に設けられた接続端部１６を挿着したとき、該接続端部１６に押圧された閉塞部材１８が後退すると、該閉塞部材１８の管体密着部２４が管体２７の拡径された部分に圧着され、管体密着部２４と管体２７との密着度を向上させることができる。これにより、接続端部１６から管体２７に向かって注入された薬液の流量が、管体２７の棒状体７により制限されて管体２７の周囲の液圧が上昇しても、管体密着部２４と管体２７との間への薬液の侵入を一層確実に防止することができる。
【００３３】
なお、本実施形態においては、前記棒状体７の延出部９に拡径部１１を備えるものを示したが、それ以外には、図示しないが、拡径部１１を備えずに内挿部８ど同径の延出部を管体５，２７の先端から延出させても良い。この場合には、閉塞部材１８の挿通孔２５の内径を延出部の外径（内挿部８の外径）より小とすることは言うまでもない。また、図示しないが、前記棒状体７には延出部９を設けなくてもよい。
【図面の簡単な説明】
【図１】本発明の一実施形態の継ぎ手装置を示す説明的断面図。
【図２】棒状体を示す説明的断面図。
【図３】閉塞部材の説明的断面図。
【図４】図１の継ぎ手装置の接続状態を示す説明的断面図。
【図５】他の実施形態の継ぎ手装置を示す説明的断面図。
【図６】図５の継ぎ手装置の接続状態を示す説明的断面図。
【符号の説明】
１，２６…継ぎ手装置、５，２７…管体、７…棒状体、８…内挿部、９…延出部、１０…固定部、１１…拡径部、１５…外筒、１６…接続端部（被接続物）、１７…接続部、１８…閉塞部材、１９…コイルスプリング（付勢手段）、２０…圧接部材、２３…栓部、２４…管体密着部、２５…挿通孔。
【図１】
2004344546.tif 000003
【図２】
2004344546.tif 000004
【図３】
2004344546.tif 000005
【図４】
2004344546.tif 000006
【図５】
2004344546.tif 000007
【図６】
2004344546.tif 000008